(57)【特許請求の範囲】
【請求項１】
低コヒーレンス光を射出する光源部と、
前記低コヒーレンス光を測定光と参照光に分割する分割手段と、
前記測定光を測定対象に照射する照射光学系と、
前記参照光または前記測定光の光路長を変更する光路長変更手段と、
前記測定対象に前記測定光が照射されたときの該測定対象からの反射光と前記参照光とを合波する合波手段と、
合波された前記反射光と前記参照光の干渉光の光強度に基づいて、前記参照光の光路長と前記測定光および反射光の合計の光路長とが略一致する、前記測定対象の複数の深さ位置における反射光の強度を検出し、これらの各深さ位置における強度に基づいて測定対象の断層画像を取得する画像取得手段とを備えてなる光断層画像化装置において、
前記参照光および反射光の中心波長λｃおよびスペクトル半値全幅Δλが、
λｃ２／Δλ≦１５
λｃ+（Δλ／２）≦１．２μｍ
λｃ-（Δλ／２）≧０.９８μｍ
を満たすものであることを特徴とする光断層画像化装置。
【請求項２】
低コヒーレンス光を射出する光源部と、
前記低コヒーレンス光を測定光と参照光に分割する光分割手段と、
前記測定光を測定対象に照射する照射光学系と、
前記測定対象に前記測定光が照射されたときの該測定対象からの反射光と前記参照光とを合波する合波手段と、
合波された前記反射光と前記参照光の干渉光の特性に基づいて、前記測定対象の複数の深さ位置における反射光の強度を算出し、これらの各深さ位置における強度に基づいて測定対象の断層画像を取得する画像取得手段とを備えてなる光断層画像化装置において、
前記参照光および反射光の中心波長λｃおよびスペクトル半値全幅Δλが、
λｃ２／Δλ≦１５
λｃ+（Δλ／２）≦１．２μｍ
λｃ-（Δλ／２）≧０.９８μｍ
を満たすものであることを特徴とする光断層画像化装置。
【請求項３】
前記画像取得手段が、前記干渉光の周波数毎の光強度を検出し、該検出した干渉光の周波数毎の光強度から、前記測定対象の複数の深さ位置における反射光の強度を算出するものである事を特徴とする請求項２記載の光断層画像化装置。
【請求項４】
前記光源部が、スーパールミネッセントダイオードを有することを特徴とする請求項１から３いずれか１項記載の光断層画像化装置。
【請求項５】
前記スーパールミネッセントダイオードが、第１の導電性を有するGaAs基板に形成され、InGaAs活性層からなる光導波路と、該光導波路の後出射端面側に配置され、前記活性層よりもエネルギーギャップが大きくかつ屈折率が小さく、前記第１の導電性とは逆の第２の導電性を有し、格子定数がGaAsの格子定数と±0.1％範囲内で格子整合するAlを含まない２元または３元の半導体材料からなるウインドウ領域層とを有することを特徴とする請求項４記載の光断層画像化装置。
【請求項６】
前記ウインドウ領域層を形成する半導体層がGaAsまたはInGaPからなることを特徴とする請求項５記載の光断層画像化装置。
【請求項７】
前記光源部が、近赤外蛍光色素を含有する発光体を有することを特徴とする請求項１から３いずれか１項記載の光断層画像化装置。
【請求項８】
前記光源部が、Ｙｂ系パルスレーザ、Ｎｄ系パルスレーザまたはＴｉ系パルスレーザを有することを特徴とする請求項１から３いずれか１項記載の光断層画像化装置。
【請求項９】
ガウス分布成形フィルターを備えたものであることを特徴とする請求項１から８いずれか１項記載の光断層画像化装置。
【請求項１０】
波長を一定の周期で掃引させながらレーザ光を射出する光源と、
該光源から射出された前記レーザ光を測定光と参照光とに分割する光分割手段と、
前記測定光を測定対象に照射する照射手段と、
前記測定光の前記測定対象からの反射光と前記参照光とを合波する合波手段と、
該合波手段により合波された前記反射光と前記参照光との干渉光の周波数および強度に基づいて、前記測定対象の各深さ位置における前記反射光の強度を検出する干渉光検出手段と、
該干渉光検出手段により検出された前記各深さ位置における前記反射光の強度を用いて前記測定対象の断層画像を取得する画像取得手段とを有する光断層画像化装置において、
前記レーザ光の掃引中心波長λｓｃおよび波長掃引幅Δλｓが、
λｓｃ２／Δλｓ≦１５
λｓｃ+（Δλｓ／２）≦１．２μｍ
λｓｃ-（Δλｓ／２）≧０.９８μｍ
を満たすものであることを特徴とする光断層画像化装置。
【請求項１１】
前記干渉光検出手段がIｎGaAｓ系の光検出器を有するものであることを特徴とする請求項１０記載の光断層画像化装置。
【発明の詳細な説明】
【技術分野】
【０００１】
本発明は、低コヒーレンス光である測定光を測定対象に照射して測定対象の断層画像を取得する光断層画像化装置に関し、特に測定対象の表面および深部の微細構造情報を測定光の反射光に基づいて、画像化する光断層画像化装置に関する。
【背景技術】
【０００２】
従来、生体組織等の測定対象の断層画像を取得する方法の一つとして、ＯＣＴ（Optical Coherence Tomography）計測により光断層画像を取得する方法が提案されている。このＯＣＴ計測のひとつとして、例えば特許文献１または特許文献２に示されるような、ＴＤ−ＯＣＴ（Time domain Optical Coherence Tomography）計測により光断層画像を取得する方法が提案されている。このＴＤ−ＯＣＴ計測は、光干渉計測の一種であり、二つに分けた光、すなわち測定光と参照光との光路長が光源のコヒーレンス長以内の範囲で一致したときにのみ光干渉が検出されることを利用した計測方法である。すなわちこの方法において、光源から射出された低コヒーレント光は測定光と参照光とに分割され、測定光は測定対象に照射され、測定対象からの反射光が合波手段に導かれる。
【０００３】
ＴＤ−ＯＣＴ計測においては、参照光または測定光の光路長を変更することにより、測定対象に対する測定位置（測定深さ）を変更し、光軸方向の１次元断層画像を取得するようになっている。例えば、特許文献１に記載されたＴＤ−ＯＣＴ装置の光路長調整機構は、光ファイバから射出した参照光をミラーに反射させる光学系を有し、このミラーを参照光の光軸方向に移動させて光路長の調整を行っている。また、測定対象へ当てる測定光の照射位置を、光軸と垂直な方向に走査することで、二次元の光反射強度の断層像が得られる。さらに、測定光の照射位置を、光軸方向と垂直な二次元方向に亘って走査することで、三次元の光反射強度の断層像を得ることができる。
【０００４】
また、他のＯＣＴ計測方法として、例えば特許文献３に示されるような、ＳＤ−ＯＣＴ（Spectral domain Optical Coherence Tomography）計測により光断層画像を取得する方法が提案されている。このＳＤ−ＯＣＴ装置では、測定光と参照光に分割した広帯域の低コヒーレント光を、光路長をほぼ等しく合わせて干渉させた後、干渉光を分光手段により各光周波数成分に分解し、アレイ型光検出器にて各光周波数成分毎の干渉光強度を測定し、ここで得られたスペクトル干渉波形を計算機でフーリエ変換することにより、光路長の変更を物理的に行わずに光軸方向の一次元断層像元データを取得するようにしたものである。測定光の照射位置を光軸と垂直な方向に走査することで、二次元、さらには三次元の断層画像を得ることができる。
【０００５】
また、低コヒーレンス光の代わりに、時間的に周波数が変化するコヒーレンス光を射出して、干渉光の検出を行い、光周波数領域のインターフェログラムから所定の測定対象の深さ位置における反射強度を検出し、これを用いて断層画像を生成するＳＳ−ＯＣＴ（Swept Source Optical Coherence Tomography）計測により光断層画像を取得する方法も提案されている。 (たとえば特許文献４参照)。
【０００６】
このようなＯＣＴ装置は、まず眼科用装置として開発が進められ、実用化されている。現在、眼科分野での実用化を受けて、内視鏡への応用を目指してさらに研究開発が進められている。開発当初においては、ＯＣＴ装置の光源波長としては、主に0.8μm帯が用いられてきた（例えば非特許文献１参照）。これは生体における吸収特性を考慮した結果、選択された波長であり、る。図１（ａ）は、水、血液、メラニンおよび表皮の光の吸収係数を示すものであり、図１（ｂ）は、波長帯域0.7μｍから1.６μｍまでの水の吸収係数を示すものである。この図１（ｂ）から、0.98μｍおよび1.2μｍに水の吸収ピークがあることがわかる。また、図２中の破線は、これらの吸収係数に基づいて得られた生体の吸収損失を示すものである。この図２から、生体においては、0.8μｍ帯の光が、吸収損失が最も少ないことがわかる。このことから、開発当初においては、0.8μｍ帯の光が、生体の透過率が高く、そのために計測深度が深くなり、ＯＣＴ装置には最も適していると考えられた。
【０００７】
しかしながら、近年、ＯＣＴ装置では、生体内部の後方散乱反射光を検出するため、散乱特性も計測深度を律束することが明らかにされた。生体組織での主な散乱はレーリー散乱である。レーリー散乱では散乱強度は波長の4乗に逆比例する。図２中の点線は、生体における散乱損失を示すものである。ＯＣＴ信号を取得する際の全損失は、吸収損失と散乱損失の和であり、この全損失を図２中に実線で示す。
【０００８】
図２から全損失が最小となる波長帯域は、1.3μｍ帯であることが判る。このため、眼科用のＯＣＴ装置が実用化された後、より画像化深度が求められる内視鏡応用のＯＣＴ装置においては、光源波長として1.3μｍ帯の光を用いて研究開発が進められている（例えば非特許文献２参照）。
【０００９】
一方、内視鏡へＯＣＴ装置を応用する際の目的は、生体内確定診断と、粘膜癌（ｍ癌）と粘膜下層癌（ｓｍ癌）の識別の、癌の深達度診断である。以下簡単に癌の内視鏡下診断の手順について説明する。まず通常観察像で病変部を発見し、癌かその他疾患かを識別する。この第１次診断は医師の経験に基づく診断で、癌と推測した部位の組織を採取し病理検査により確定診断を行う。このため、現状では内視鏡検査中の確定診断は困難である。癌と確定診断された場合には、再度その後の治療方針を決定するため、内視鏡検査による癌の深達度診断が行われる。一般に癌は粘膜表皮から発生し、進行に伴って横方向へ拡がりながら深さ方向へも浸潤する。図３に示すように、胃壁の構造は表面から粘膜層（ｍ層）、粘膜筋板（MM）、粘膜下層（ｓｍ層）、筋層、奨膜の５層から構成されている。粘膜層のみに留まっている癌をｍ癌、粘膜下層まで浸潤している癌をｓｍ癌という。ｍ癌とｓｍ癌では治療法が異なる。粘膜下層にはリンパ系や血管系が存在するため、ｓｍ癌では転移の可能性が否定できないため、外科手術の適応となる。一方ｍ癌であれば、転移はないため内視鏡下で癌の摘出が行われる。このためｍ癌かｓｍ癌かの識別が重要となる。具体的には粘膜筋板（MM層）が層構造を保持しているか、破壊されているかを画像として評価できることが重要である。現在はこの深達度診断を目指して、超音波の適応が検討されている。しかし超音波では軸方向分解能が100μｍ程度であるためMM層の描出が不充分である。また進行度の高いｍ癌ではMM層下にリンパ濾胞が形成されるため、癌部位とリンパ濾胞とが一体に画像化されるため、ｍ癌をｓｍ癌と誤診断することになる。このため正確な深達度診断のために、軸方向分解能10μｍ以下の画像化法が切望されている。
【００１０】
一方、ＴＤ−ＯＣＴ装置およびＳＤ−ＯＣＴ装置では、光源のコヒーレンス長により光軸方向分解能が規定される、すなわち、通常は光源のコヒーレンス長より短い分解能は得られない。このため、光軸方向10μｍ以下の高分解能を実現するためには、コヒーレンス長10μｍ以下の光が必要である。低コヒーレンス光のコヒーレンス長Δｚは、中心周波数の二乗に比例し、スペクトル幅に半比例するものであり、中心波長λｃおよびスペクトル幅Δλとすると次式で表すことができる。
【００１１】
Δｚ＝２ln２／π・（λｃ２/Δλ）
このため、コヒーレンス長を短くするためには、スペクトル幅Δλを広くしなければならない。一方、コヒーレンス光のスペクトル幅Δλを広くすると、分散の影響を考慮する必要がでてくることが分かった（非特許文献３参照）。
【００１２】
マイケルソン干渉計において、光が試料を伝搬すると位相シフトが生じ、その結果干渉信号波形が変化する。その干渉信号波形をφ(ω)、光源のスペクトル波形がガウス分布とすると、自己相関関数は
【数１】
0004818823.tif 000002
【００１３】
と表される。ここでσtは自己相関関数の1/e1/2幅、σt0はD＝0時の自己相関関数の1/e1/2幅、σwは光のスペクトル1/e1/2幅、ω0は光スペクトルの中心周波数、Kは分散の影響によるブロード化比である。
【００１４】
図４は水を試料として、上記式（３）の計算結果（実線）と実測結果（▲）を示したものである。波長1.0μmで分散Dが零（零分散）であるのに対し、波長が1.0μmから離れるに従って、分散の影響が大きくなることが判る。
【００１５】
また、図５は波長1.32μm（スペクトル幅７６nm）と波長0.94μｍ（スペクトル幅７５nm）の低コヒーレント光が水中を伝播した場合の、水中伝播距離（水の厚さ）とブロード化比（劣化度）との関係の実測値およびシミュレーション結果を示す図である。
【００１６】
上記非特許文献３では、低コヒーレンス光のコヒーレンス長が短い場合には、ＯＣＴ装置においては、中心波長1.０μmの低コヒーレンス光を用いることが好ましいと結論付けている。
【００１７】
また、ＳＳ−ＯＣＴ装置においても、光源から射出されるコヒーレンス光の波長掃引幅Δλにより、光軸方向分解能が規定される。このため、光軸方向の分解能を大きくするためには、コヒーレンス光の波長掃引幅Δλを広くしなければならない。一方、コヒーレンス光の波長掃引幅Δλを広くすると、上述のように、分散の影響を考慮する必要がでてくる。
【特許文献１】特開平６−１６５７８４号公報
【特許文献２】特開２００３−１３９６８８号公報
【特許文献３】特開平１１−３２５８４９号公報
【特許文献４】ＵＳ５、９５６、３５５号公報
【非特許文献１】Optics Letters Vol.24,No17,1999, P1221-1223  by W.Drexler et.al
【非特許文献２】Optics Letters Vol.26,No9,2001, P608-610，2001  by Ｉ.Hartl et.al
【非特許文献３】Optics Express Vol.11,No12,2003, P14111417，2003  by Yimin Wang et.al
【発明の開示】
【発明が解決しようとする課題】
【００１８】
しかしながら、低コヒーレンス光または時間的に周波数が変化するコヒーレンス光である測定光を用いたＯＣＴ装置を用いて、生体の光断層画像を取得する際に、測定光の波長帯域が生体における光吸収の大きい波長帯域を含む場合には、生体の光吸収により測定光（反射光）のスペクトル形状が変形し、このため、自己相関関数にサイドバンドあるいはサイドロープが現れ、その結果擬似信号が発生して、光断層画像のＳ／Ｎが低下するという問題がある。図１（ｂ）に示すように、生体の主な構成物質である水には、波長１μm近傍では、0.98μmおよび1.2μmに吸収係数のピークが存在する。
【００１９】
図６は、中心波長1.0μm、波長帯域幅100nmのガウス分布の光が、水中を伝播した場合を想定したシミュレーション結果である。図６（A）は、スペクトル形状の変化を示し、図６（B）は、各スペクトル波形のフーリエ変換波形を示している。なお、一点破線は水を透過していない波形であり、二点破線は厚さ２ｍｍの水を透過した場合の波形を、破線は厚さ４ｍｍの水を透過した場合の波形を、実線は厚さ８ｍｍの水を透過した場合の波形を示している。この図６から、波長１μm、波長帯域幅100nmの測定光が水中を透過した場合、0.98μｍにおける吸収の影響により、スペクトル形状が大きく変形していることがわかる。この結果、自己相関波形にサイドバンドが現れ、擬似信号が発生して、光断層画像の画質が低下する。
【００２０】
また、上記非特許文献３においては、中心波長1.1μm、スペクトル幅372nmの低コヒーレンス光を用いて、光断層画像を取得しているが、この場合には0.98μmのみならず、1.2μmにおける吸収ピークの影響も受けることになり、サイドバンドの発生による画質の低下はさらに大きくなるであろう。
【００２１】
なお、非特許文献３には、コヒーレンス長が略１０μm（λｃ２/Δλが23）の低コヒーレンス光を用いて、光断層画像を取得する場合には、分散の影響を受けることが記載され、またλｃ２／Δλの値が小さくなり、分散の影響を受けるような場合には、低コヒーレンス光の中心波長を1.0μｍ近傍とすることが好ましいことは記載されているが、0.98μｍおよび1.2μmにおける吸収の影響を受けない中心波長λｃおよび波長帯域幅Δλについては、一切言及していない。
【００２２】
本発明はこうした問題を鑑みなされたもので、低コヒーレンス光または時間的に周波数が変化するコヒーレンス光である測定光を用いた光断層画像化装置において、生体組織の光吸収特性、散乱特性、分散特性から高分解能化に対しては最適な測定光の波長特性が存在することを明らかにし、この最適な波長特性を有する測定光を用いて、高分解能かつ高画質の光断層画像を取得する装置を実現することを目的とするものである。
【課題を解決するための手段】
【００２３】
本発明の第１の光断層画像化装置は、低コヒーレンス光を射出する光源部と、
前記低コヒーレンス光を測定光と参照光に分割する分割手段と、
前記測定光を測定対象に照射する照射光学系と、
前記参照光または前記測定光の光路長を変更する光路長変更手段と、
前記測定対象に前記測定光が照射されたときの該測定対象からの反射光と前記参照光とを合波する合波手段と、
合波された前記反射光と前記参照光の干渉光の光強度に基づいて、前記参照光の光路長と前記測定光および反射光の合計の光路長とが略一致する、前記測定対象の複数の深さ位置における反射光の強度を検出し、これらの各深さ位置における強度に基づいて測定対象の断層画像を取得する画像取得手段とを備えてなる光断層画像化装置において、
前記参照光および反射光の中心波長λｃおよびスペクトル半値全幅Δλが、
λｃ２／Δλ≦１５
λｃ+（Δλ／２）≦１．２μｍ
λｃ-（Δλ／２）≧０.９８μｍ
を満たすものであることを特徴とするものである。
【００２４】
本発明の第２の光断層画像化装置は、低コヒーレンス光を射出する光源部と、
前記低コヒーレンス光を測定光と参照光に分割する光分割手段と、
前記測定光を測定対象に照射する照射光学系と、
前記測定対象に前記測定光が照射されたときの該測定対象からの反射光と前記参照光とを合波する合波手段と、
合波された前記反射光と前記参照光の干渉光の特性に基づいて、前記測定対象の複数の深さ位置における反射光の強度を算出し、これらの各深さ位置における強度に基づいて測定対象の断層画像を取得する画像取得手段とを備えてなる光断層画像化装置において、
前記参照光および反射光の中心波長λｃおよびスペクトル半値全幅Δλが、
λｃ２／Δλ≦１５
λｃ+（Δλ／２）≦１．２μｍ
λｃ-（Δλ／２）≧０.９８μｍ
を満たすものであることを特徴とするものである。
【００２５】
また、前記画像取得手段は、前記干渉光の周波数毎の光強度を検出し、該検出した干渉光の周波数毎の光強度から、前記測定対象の複数の深さ位置における反射光の強度を算出するものであってもよい。
【００２６】
なお、ここで「測定対象からの反射光」とは、測定対象で反射された光、測定対象で後方散乱された光、または測定対象で反射および後方散乱された光を意味している。
【００２７】
また、前記参照光および反射光は、実質的に同一中心波長、同一スペクトル半値全幅であればよい。なお実質的に同一とは、干渉光の光強度の測定に支障がでない程度に同一であることを意味している。
【００２８】
前記光源部は、スーパールミネッセントダイオードを有するものであってもよい。また、スーパールミネッセントダイオードは、特に第１の導電性を有するGaAs基板に形成され、InGaAs活性層からなる光導波路と、該光導波路の後出射端面側に配置され、前記活性層よりもエネルギーギャップが大きくかつ屈折率が小さく、前記第１の導電性とは逆の第２の導電性を有し、格子定数がGaAsの格子定数と±0.1％範囲内で格子整合するAlを含まない２元または３元の半導体材料からなるウインドウ領域層とを有するものであってもよい。前記ウインドウ領域層を形成する半導体層は、GaAsまたはInGaPからなるものであってもよい。
【００２９】
また、前記光源部は、近赤外蛍光色素を含有する発光体を有するものであってもよい。
【００３０】
さらに、前記光源部は、Ｙｂ系パルスレーザ、Ｎｄ系パルスレーザまたはＴｉ系パルスレーザを有するものであってもよい。なお、Ｙｂ系パルスレーザとしては、Ｙｂ：ＹＡＧレーザ、Ｙｂ：ＧｌａｓｓレーザあるいはＹｂ系ファイバレーザ等を使用することができる。また、Ｎｄ系パルスレーザとしては、Ｎｄ：ＹＡＧレーザ、Ｎｄ：ＧｌａｓｓレーザあるいはＮｄ系ファイバレーザ等を使用することができる。
【００３１】
さらに、本光断層画像化装置は、ガウス分布成形フィルターを備えたものであってもよい。なお、本光断層画像化装置が、ガウス分布成形フィルターを備えたものである場合には、該ガウス分布成形フィルターを透過した後の低コヒーレンス光が上記の条件を満たす範囲内であれば、光源そのものから射出される低コヒーレンス光の中心波長およびスペクトル半値全幅はいかなるものであってもよい。
【００３２】
本発明の第３の光断層画像化装置は、波長を一定の周期で掃引させながらレーザ光を射出する光源と、
該光源から射出された前記レーザ光を測定光と参照光とに分割する光分割手段と、
前記測定光を測定対象に照射する照射手段と、
前記測定光の前記測定対象からの反射光と前記参照光とを合波する合波手段と、
該合波手段により合波された前記反射光と前記参照光との干渉光の周波数および強度に基づいて、前記測定対象の各深さ位置における前記反射光の強度を検出する干渉光検出手段と、
該干渉光検出手段により検出された前記各深さ位置における前記反射光の強度を用いて前記測定対象の断層画像を取得する画像取得手段とを有する光断層画像化装置において、
前記レーザ光の掃引中心波長λｓｃおよび波長掃引幅Δλｓが、
λｓｃ２／Δλｓ≦１５
λｓｃ+（Δλｓ／２）≦１．２μｍ
λｓｃ-（Δλｓ／２）≧０.９８μｍ
を満たすものであってもよい。
【００３３】
なお、前記干渉光検出手段は、IｎGaAｓ系の光検出器を有するものであってもよい。
【発明の効果】
【００３４】
前述したように、生体の主な構成物質である水には、波長１μm近傍では、0.98μmおよび1.2μmに光吸収係数のピークが存在する。このため、透過率がよい１.１μｍ近傍の光を用いて、光断層画像を取得する際には、この0.98μｍおよび1.2μmに存在する光吸収のピークの影響により、自己相関波形にサイドバンドが現れ、擬似信号が発生して、光断層画像の画質が低下する。したがって、参照光および反射光の中心波長λｃおよびスペクトル半値全幅Δλを、少なくともスペクトル半値全幅Δλの範囲内では、参照光及び反射光が0.98μｍおよび1.2μmに存在する光吸収のピークにオーバーラップしないように設定する必要があり、下記式
λｃ+（Δλ／２）≦１．２μｍ
λｃ-（Δλ／２）≧０.９８μｍ
が導入される。
【００３５】
すなわち、本発明の第１の光断層画像化装置は、低コヒーレンス光を射出する光源部と、前記低コヒーレンス光を測定光と参照光に分割する分割手段と、前記測定光を測定対象に照射する照射光学系と、前記参照光または前記測定光の光路長を変更する光路長変更手段と、前記測定対象に前記測定光が照射されたときの該測定対象からの反射光と前記参照光とを合波する合波手段と、反射光と前記参照光の干渉光の光強度に基づいて、前記参照光の光路長と前記測定光および反射光の合計の光路長とが略一致する、前記測定対象の複数の深さ位置における反射光の強度を検出し、これらの各深さ位置における強度に基づいて測定対象の断層画像を取得する画像取得手段とを備えてなる光断層画像化装置において、
前記参照光および反射光の中心波長λｃおよびスペクトル半値全幅Δλが、
λｃ２／Δλ≦１５
λｃ+（Δλ／２）≦１．２μｍ
λｃ-（Δλ／２）≧０.９８μｍ
を満たすものであるため、光の透過率もよく、かつ0.98μｍおよび1.2μmに存在する光吸収のピークの影響も少なくなるので、高分解能かつ高画質の光断層画像を取得することができる。なお、図７は、上記の式を満たす中心波長λｃおよびスペクトル半値全幅Δλをグラフ化したものである。
【００３６】
また、λｃ２／Δλが大きい場合、すなわちコヒーレンス長が長く、スペクトル半値全幅Δλが狭い場合には、水による分散の影響はほとんどないが、λｃ２／Δλが小さくなると、水による分散の影響が無視できなくなる。
【００３７】
図５の結果からは、中心波長λｃが1.32μｍ前後で、スペクトル幅Δλが76ｎｍ前後の低コヒーレンス光を用いて光断層画像を取得する場合には、分散の影響を受けることはわかるが、中心波長λｃが1.１μｍ帯の低コヒーレンス光を用いて光断層画像を取得する場合いに生じる分散の影響と比較することは、中心波長λｃとスペクトル幅Δλの２つのパラメータを考慮しなければならないため困難である。
【００３８】
そこで本発明者は、低コヒーレンス光のコヒーレンス長、すなわちλｃ２/Δλをパラメータとして、中心波長（λｃ）1.3μｍ帯の低コヒーレンス光を用いて光断層画像を取得する場合いに生じる分散の影響と中心波長（λｃ）1.1μｍ帯の低コヒーレンス光を用いて光断層画像を取得する場合いに生じる分散の影響とを実験的に比較した。
【００３９】
図５に開示されている中心波長λｃ＝1.32μｍで、スペクトル幅Δλ＝76ｎｍ、すなわちλｃ２/Δλ＝２３の場合には、水中伝播距離２ｍｍでのブロード化比（劣化度）は、１．０３であり、水中伝播距離４ｍｍでのブロード化比（劣化度）は、１．１５であり、水中伝播距離１０ｍｍでのブロード化比（劣化度）は、１．６５である。
【００４０】
また、図８の（Ｂ）に、中心波長λｃ＝1.32μｍで、スペクトル半置全幅Δλ＝１１５ｎｍ、すなわちλｃ２/Δλ＝１５となる低コヒーレンス光（図８の（Ａ）にそのスペクトルを示す）を用いて、厚さ２ｍｍ、４ｍｍおよび１０ｍｍの水中を伝播する際の光軸方向分解能の劣化度を実測した結果を示す。この図８の（Ｂ）に示す様に、水中伝播距離２ｍｍでの劣化度は１８．２／１５．２＝１．２、水中伝播距離４ｍｍでの劣化度は１．４、水中伝播距離１０ｍｍでの劣化度は１．９７となり、光軸方向分解能の劣化が顕著に現れている。
【００４１】
さらに、中心波長λｃ＝1.32μｍで分解能劣化が顕著に現れるλｃ２/Δλ＝１５において、中心波長λｃ＝1.15μｍでの光軸方向の劣化度を実測した。図８の（Ｄ）に、中心波長λｃ＝1.15μｍで、スペクトル半置全幅Δλ＝９０ｎｍ、すなわちλｃ２/Δλ＝１４．７となる低コヒーレンス光（図８の（Ｃ）にそのスペクトルを示す）を用いて、厚さ２ｍｍ、４ｍｍおよび１０ｍｍの水中を伝播する際の光軸方向分解能の劣化度を実測した結果を示す。この図８の（Ｄ）に示す様に、水中伝播距離２ｍｍでの劣化度は１、水中伝播距離４ｍｍでの劣化度は１、水中伝播距離１０ｍｍでの劣化度は１．１４となり、光軸方向分解能の劣化は生じていない。
【００４２】
以上から、λｃ２／Δλ≦１５の範囲は、中心波長λｃ＝1.32μｍ帯では分解能劣化が顕著に現れるが、中心波長λｃ＝1.1μｍ帯では分解能劣化が生じない領域である。このことから、中心波長1.0μｍ帯が中心波長1.3μｍ帯に対して特に優位である範囲は、
λｃ２／Δλ≦１５
と規定できる。
【００４３】
また、本光断層画像化装置用の光源として、スーパールミネッセントダイオードを用いることにより、安価かつ取り扱い容易な装置が実現できる。本発明者等は、本光断層画像化装置用の光源として、光導波路の端面にウインドウ構造を設けたスーパールミネッセントダイオードに着目し、試作を開始したが、従来知られているスーパールミネッセントダイオードの構成では望ましい素子寿命が得られなかった。本発明者らは、実験により、従来知られているウインドウ領域層の材料の条件に加え、考慮せねばならない重要な条件かいくつかあることを発見した。
【００４４】
まず、中心波長０．９８μｍ以上かつ１．２μｍ以下のＳＬ光を得るために、活性層の材料としてInGaAs活性層を用いる場合、InGaAsは６５０℃以上の温度では劣化してしまうため、活性層を形成した後の工程は、６５０℃以下の環境下で行うことが好ましい。上記のように、ウインドウ構造を有するスーパールミネッセントダイオードでは、ウインドウを形成する材料としてAlGaAsがしばしば使用される。しかしながら、Alを含む材料から半導体層を形成する場合には、高温環境下で形成することが好ましいことが知られている。これは、環境温度が低い場合には、酸素が多く取り込まれるためである（F.Bugge et al J.Cryustal Grouwh Vol.272(2004)  P531-537）。
【００４５】
実験により、ウインドウ領域層を、６５０℃以下の温度でAlを含む材料、例えばAlGaAsで作製した場合、ウインドウ領域層に酸素が多く取り込まれ、これにより非発光再結合中心の増加が起こって、熱の発生が起きて、望ましい素子寿命を得ることが困難であることがわかった。
【００４６】
また通常、活性層は１００Å前後の厚さであるが、ウインドウ領域層は、数百nm以上の厚さの膜を成長させる必要がある。実験により、GaAs基板に対し格子整合しない材料によりウインドウ領域層用の膜を成長させる際には、結晶膜質が劣化し、望ましい素子寿命を得ることが困難であることがわかった。例えば、In組成が活性層を形成するInGaAsよりも少ないInGaAsを用いてウインドウ領域層を形成した場合には、InGaAsはGaAs基板に対し格子整合しないため、良好な結晶膜質のInGaAs層が形成されず、望ましい素子寿命は得られなかった。
【００４７】
また、GaAs基板と格子整合し、かつ活性層を形成するInGaAs層よりエネルギーギャップの大きい材料としてはInGaAsPがある。しかしながら、実験によりこのような４元の半導体材料を、ウインドウ領域層のような様々な結晶面に対し積層させる層の材料として用いると、４元材料比のバランスが崩れ易く結晶膜質が劣化することがわかった。また650℃以下の環境温度下で成長させると、ヒロックの増加や結晶膜質の劣化が起こり、さらに素子の信頼性を低下させることがわかった。
【００４８】
従って、スーパールミネッセントダイオードとして、第１の導電性を有するGaAs基板に形成され、InGaAs活性層からなる光導波路と、該光導波路の後出射端面側に配置され、前記活性層よりもエネルギーギャップが大きくかつ屈折率が小さく、前記第１の導電性とは逆の第２の導電性を有し、格子定数がGaAsの格子定数と±0.1％範囲内で格子整合するAlを含まない２元または３元の半導体材料、例えばGaAsまたはInGaPからなるウインドウ領域層とを有するを有するものを用いれば、歪みのないビーム断面形状を有する低コヒーレンス光を、容易かつ低価格に、用いることができる。また、このようなスーパールミネッセントダイオードを有する光源部を用いることにより、光源部の信頼性が向上し、その結果、本光断層画像化装置全体の信頼性も向上する。
【００４９】
また、前記光源部が、近赤外蛍光色素を含有する発光体を有するものであれば、所望の波長帯域の低コヒーレンス光を用いることができる。
【００５０】
前記光源部が、Ｙｂ系パルスレーザ、Ｎｄ系パルスレーザまたはＴｉ系パルスレーザを有するものであれば、高出力の低コヒーレンス光を容易に用いることができる。
【００５１】
また、本光断層画像化装置が、ガウス分布成形フィルターを備えたものであれば、光源そのものから射出される低コヒーレンス光の中心周波数およびスペクトル半値全幅はいかなるものであってもよく、光源の選択肢が広がる。また、該ガウス分布成形フィルターを透過した後の低コヒーレンス光のスペクトル形状がガウス分布型となり、より高画質の光断層画像を取得することができる。
【００５２】
本発明の第２の光断層画像化装置は、低コヒーレンス光を射出する光源部と、
前記低コヒーレンス光を測定光と参照光に分割する光分割手段と、
前記測定光を測定対象に照射する照射光学系と、
前記測定対象に前記測定光が照射されたときの該測定対象からの反射光と前記参照光とを合波する合波手段と、
合波された前記反射光と前記参照光の干渉光の特性に基づいて、前記測定対象の複数の深さ位置における反射光の強度を算出し、これらの各深さ位置における強度に基づいて測定対象の断層画像を取得する画像取得手段とを備えてなる光断層画像化装置において、
前記参照光および反射光の中心波長λｃおよびスペクトル半値全幅Δλが、
λｃ２／Δλ≦１５
λｃ+（Δλ／２）≦１．２μｍ
λｃ-（Δλ／２）≧０.９８μｍ
を満たすものであるため、光の透過率もよく、かつ0.98μｍおよび1.2μmに存在する光吸収のピークの影響も少なくなるので、高分解能かつ高画質の光断層画像を取得することができる。また、λｃ２／Δλ≦１５の範囲は、中心波長λｃ＝1.32μｍ帯では分解能劣化が顕著に現れるが、中心波長λｃ＝1.1μｍ帯では分解能劣化が生じない領域であり、中心波長1.0μｍ帯が中心波長1.3μｍ帯に対して特に優位である。
【００５３】
本発明の第３の光断層画像化装置は、波長を一定の周期で掃引させながらレーザ光を射出する光源と、該光源から射出された前記レーザ光を測定光と参照光とに分割する光分割手段と、前記測定光を測定対象に照射する照射手段と、前記測定光の前記測定対象からの反射光と前記参照光とを合波する合波手段と、該合波手段により合波された前記反射光と前記参照光との干渉光の周波数および強度に基づいて、前記測定対象の各深さ位置における前記反射光の強度を検出する干渉光検出手段と、該干渉光検出手段により検出された前記各深さ位置における前記反射光の強度を用いて前記測定対象の断層画像を取得する画像取得手段とを有する光断層画像化装置において、前記レーザ光の掃引中心波長λｓｃおよび波長掃引幅Δλｓが、
λｓｃ２／Δλｓ≦１５
λｓｃ+（Δλｓ／２）≦１．２μｍ
λｓｃ-（Δλｓ／２）≧０.９８μｍ
を満たすものであるため、光の透過率もよく、かつ0.98μｍおよび1.2μmに存在する光吸収のピークの影響も少なくなるので、高分解能かつ高画質の光断層画像を取得することができる。またλｓｃ２／Δλｓ≦１５の範囲においては、掃引中心波長1.0μｍ帯の光が掃引中心波長1.3μｍ帯の光に対して特に優位である。
【発明を実施するための最良の形態】
【００５４】
以下、本発明の具体的な第１の実施形態である光断層画像化装置について図９を参照して説明する。図９は本発明の第１の実施の形態である光断層画像化装置の概略構成図である。
【００５５】
図９に示す光断層画像化装置200は、測定対象の断層画像を前述のＴＤ−ＯＣＴ計測により取得するものであって、レーザ光Ｌaを射出する光源10および集光レンズ11からなる光源ユニット210と、光源ユニット210から射出されて光ファイバＦＢ１を伝搬するレーザ光Ｌaを分割する光分割手段２と、ここを通過したレーザ光Ｌaを測定光Ｌ１と参照光Ｌ２とに分割する光分割手段３と、光分割手段３により分割されて光ファイバＦＢ３を伝搬した参照光Ｌ２の光路長を調整する光路長調整手段220と、光分割手段３により分割されて光ファイバＦＢ２を伝搬した測定光Ｌ１を測定対象Ｓｂに照射する光プローブ230と、該光プローブ230から測定光Ｌ１が測定対象Ｓｂに照射されたときの測定対象からの反射光Ｌ３と参照光Ｌ２とを合波する合波手段４（光分割手段３が兼ねている）と、合波手段４により合波されて反射光Ｌ３と参照光Ｌ２との干渉光Ｌ４を検出する干渉光検出手段240とを備えている。
【００５６】
光源ユニット210は、中心波長（λｃ）１．１μｍ、スペクトル半値全幅９０ｎｍの低コヒーレント光Ｌaを射出するＳＬＤ（Super Luminescent Diode）10と、この光源10から射出された光を光ファイバＦＢ１内に入射させるための光学系11とを有している。なお、ＳＬＤ10の詳細な構成は後述する。
【００５７】
上記光路長調整手段220は、光ファイバＦＢ３から出射した参照光Ｌ２を平行光化するコリメータレンズ21と、このコリメータレンズ21との距離を変えるように図中矢印Ａ方向に移動可能とされたミラー23と、このミラー23を移動させるミラー移動手段24とから構成されて、測定対象Ｓｂ内の測定位置を深さ方向に変化させるために、参照光Ｌ２の光路長を変える機能を有している。光路長調整手段220により光路長の変更がなされた参照光Ｌ２が合波手段４に導波されるようになっている。
【００５８】
光プローブ230は、先端が閉じられた円筒状のプローブ外筒15と、このプローブ外筒15の内部空間に、該外筒15の軸方向に延びる状態に配設された１本の光ファイバ13と、光ファイバ13の先端から出射した光Ｌをプローブ外筒15の周方向に偏向させるプリズムミラー17と、光ファイバ13の先端から出射した光Ｌを、プローブ外筒15の周外方に配された被走査体としての測定対象Ｓｂにおいて収束するように集光するロッドレンズ18と、プリズムミラー１7を光ファイバ13の軸を回転軸として回転させるモータ14とを備えている。
【００５９】
光分割手段３は、例えば２×２の光ファイバカプラから構成されており、光源ユニット210から光ファイバＦＢ１を介して導波した光Ｌaを測定光Ｌ１と参照光Ｌ２とに分割する。この光分割手段３は、２本の光ファイバＦＢ２、ＦＢ３にそれぞれ光学的に接続されており、測定光Ｌ１は光ファイバＦＢ２を導波し、参照光Ｌ２は光ファイバＦＢ３を導波する。なお、本例におけるこの光分割手段３は、合波手段４としても機能するものである。
【００６０】
光ファイバＦＢ２には、光プローブ230が光学的に接続されており、測定光Ｌ１は光ファイバＦＢ２から光プローブ230へ導波する。光プローブ230は、例えば鉗子口から鉗子チャンネルを介して体腔内に挿入されるものであって、光学コネクタ31により光ファイバＦＢ２に対して着脱可能に取り付けられている。
【００６１】
また合波手段４は、前述の通り２×２の光ファイバカプラからなり、光路長調整手段230により周波数シフトおよび光路長の変更が施された参照光Ｌ２と、測定対象Ｓｂからの反射光Ｌ３とを合波し、光ファイバＦＢ４を介して干渉光検出手段240側に射出するように構成されている。
【００６２】
干渉光検出手段240は、干渉光Ｌ４の光強度を検出するものであり、干渉光Ｌ４の光強度を測定する光検出器40ａおよび40ｂと、光検出器40ａの検出値と光検出器40ｂ の検出値の入力バランスを調整してバランス検波を行う演算部41とを備えている。具体的には、測定光Ｌ１の全光路長と測定対象Ｓｂのある点で反射、もしくは後方散乱された反射光Ｌ３の合計と、参照光Ｌ２の光路長差が光源のコヒーレンス長よりも短い場合にのみ、反射光量に比例した振幅の干渉信号が検出される。光路長調整手段220により光路長を走査することで、干渉信号が得られる測定対象Ｓｂの反射点位置（深さ）が変わって行き、干渉光検出手段240は測定対象Ｓｂの各測定位置における反射率信号を検出するようになっている。なお、測定位置の情報は光路長調整手段220から画像取得手段250へ出力されるようになっている。このミラー移動手段24における測定位置の情報と干渉光検出手段240により検出された信号とに基づいて、画像取得手段250により測定対象Ｓｂの深さ方向の反射光強度分布情報が得られる。
【００６３】
以下、上記構成を有する光断層画像化装置１の作用について説明する。断層画像を取得する際には、まずミラー23を矢印Ａ方向に移動させることにより、測定可能領域内に測定対象Ｓｂが位置するように光路長の調整が行われる。その後、光源ユニット210から光Ｌaが射出され、この光Ｌaは光分割手段３により測定光Ｌ１と参照光Ｌ２とに分割される。測定光Ｌ１は光プローブ230から体腔内に向けて射出され、測定対象Ｓｂに照射される。
【００６４】
そして、測定対象Ｓｂからの反射光Ｌ３は、において、反射ミラー22において反射した参照光Ｌ２と合波され、干渉光Ｌ４が発生する。
【００６５】
干渉光Ｌ４は、光分割手段３（合波手段４）で分割され、一方は光検出器40ａに入力され、他方は光検出器40ａ に入力される。
【００６６】
干渉光検出手段240では、光検出器40ａの検出値と光検出器40ｂ の検出値の入力バランスを調整してバランス検波を行って、干渉光Ｌ４の光強度を検出し、画像取得手段250へ出力する。
【００６７】
この検出された干渉光Ｌ４の光強度に基いて、画像取得手段250において測定対象Ｓｂの所定の深さにおける反射光強度情報が得られる。次に光路長調整手段330により、参照光Ｌ２の光路長を変更し、同様に干渉光Ｌ４の光強度を検出し、異なる所定の深さにおける反射光強度情報を取得する。このような動作を繰り返すことにより、測定対象Ｓｂの深さ方向（１次元）の反射光強度情報を取得することができる。
【００６８】
そして、光プローブ230のモータ１４により、プリズムミラー17を回転させることにより、測定光Ｌ１を測定対象Ｓｂ上で走査させれば、この走査方向に沿った各部分において測定対象Ｓｂの深さ方向の情報が得られるので、この走査方向を含む断層面についての断層画像を取得することができる。このようにして取得された断層画像は、表示装置260に表示される。なお、例えば光プローブ230を図９の左右方向に移動させて、測定対象Ｓｂに対して測定光Ｌ１を、上記走査方向に対して直交する第２の方向に走査させることにより、この第２の方向を含む断層面についての断層画像をさらに取得することも可能である。
【００６９】
このようにして取得された断層画像は、表示装置260に表示される。なお、例えば光プローブ230を図９の左右方向に移動させて、測定対象Ｓｂに対して測定光Ｌ１を、上記走査方向に対して直交する第２の方向に走査させることにより、この第２の方向を含む断層面についての断層画像をさらに取得することも可能である。
【００７０】
また、低コヒーレンス光Ｌａとして、例えば、中心波長（λｃ）1.1μｍ、スペクトル半値全幅（Δλ）９０ｎｍの光を用いれば、測定光Ｌ１、参照光Ｌ２および反射光Ｌ３は、中心波長（λｃ）1.1μｍ、スペクトル半値全幅（Δλ）９０ｎｍとなるため、参照光Ｌ２および反射光Ｌ３のλｃ２／Δλは、１３．９となり、分散の影響を考慮すると、中心波長1.3μｍ帯よりも中心波長1.0μｍ帯が特に優位である。また、中心波長λｃとスペクトル半値全幅Δλとが、
λｃ+（Δλ／２）≦１．２μｍ
λｃ-（Δλ／２）≧０.９８μｍ
を満たすものであるため、測定光Ｌ１は測定対象Ｓｂにおける透過率もよく、さらに反射光Ｌ３においては0.98μｍおよび1.2μmに存在する水の光吸収のピークの影響も少なくなるので、高分解能かつ高画質の光断層画像を取得することができる。
【００７１】
なお、次に前述した光源ユニット210のＳＬＤ10について図１０を用いて説明する。ＳＬＤ10は、有機金属気相成長(MOCVD)法を用いて結晶成長を行って作成したSBR構造を有するスーパールミネッセントダイオードであり、図１０はＳＬＤ10の構造断面図を示したものである。有機金属気相成長(MOCVD)法の原料ガスとしては、TEG(トリエチルガリウム)、TMA(トリメチルアルミニウム)、TMI(トリメチルインジウム)、AsH3(アルシン)、PH3(ホスフィン)等を用いている。また、ドーパントとしては、SiH4(シラン)、DEZ(ジエチル亜鉛)を用いている。
【００７２】
ＳＬＤ10は、光導波路部12と、該光導波路部12の光出射端と反対側に設けられたウインドウ部13とから構成されている。光導波路部12は、p型 GaAsエッチングストップ層108上に形成されたリッジ形状のp型In0.49Ga0.51P上部第2クラッド層109を光ガイドとするＳＢＲ構造を有している。
【００７３】
ＳＬＤ10は、n型GaAs基板101上に、n型GaAsバッファ層102およびn型In0.49Ga0.51P下部クラッド層103が順に積層されている。光導波路部12では、n型In0.49Ga0.51P下部クラッド層103の上に、更にノンドープGaAs下部光ガイド層104、InGaAs多重量子井戸活性層105、ノンドープGaAs上部光ガイド層106、p型In0.49Ga0.51P上部第1クラッド層107、p型 GaAsエッチングストップ層108が順に積層されている。なお、InGaAs多重量子井戸活性層105の材料としては、In比X>0.3のInxGa1-xAsが用いられている。
【００７４】
p型 GaAsエッチングストップ層108上には、リッジ形状のp型In0.49Ga0.51P上部第2クラッド層109が形成されている。このリッジ（p型In0.49Ga0.51P上部第2クラッド層109）の側面にはn-In0.49(Al0.12Ga0.88)0.51P電流ブロック層113が形成され、さらにリッジおよびn-In0.49(Al0.12Ga0.88)0.51P電流ブロック層113の上面にはp型GaAsキャップ層(0.１μm厚、キャリア濃度7.0×1017cm-3)110、p型In0.49(Al0.12Ga0.88)0.51P上部第3クラッド層114およp-GaAsコンタクト層115が形成されている。
【００７５】
ウインドウ部13では、n型In0.49Ga0.51P下部クラッド層103の上に、ｐ型GaAsウインドウ領域層111、ウインドウ領域層用エッチングストップIn0.49Ga0.51P層112、n-In0.49(Al0.12Ga0.88)0.51P電流ブロック層113、p型In0.49(Al0.12Ga0.88)0.51P上部第3クラッド層114およp-GaAsコンタクト層115が、順に積層されている。
【００７６】
このような構成を有するＳＬＤ10では、InGaAs多重量子井戸活性層105中をウインドウ部13側へ導光してきた光は、ｐ型GaAsウインドウ領域層111の中に放射されて、拡散する。このため、レーザ発振が抑制され、スペクトル半値幅の広いＳＬＤ（スーパールミネッセント）光が、光射出端から射出される。ＳＬＤ10からは、中心波長1.1μm、半値幅９０nm、３０ｍＷのＳＬ光が射出される。
【００７７】
ＳＬＤ10は、InGaAs多重量子井戸活性層105よりもエネルギーギャップが大きくかつ屈折率が小さく、格子定数がGaAsの格子定数と±0.1％範囲内で格子整合し、Alを含まないｐ型GaAsによりウインドウ領域層111を形成するため、劣化のないInGaAs活性層105と良好な結晶膜質を有するウインドウ領域層111とを実現させているので、素子寿命が長く、かつ高出力で歪みのないビーム断面形状を有するスーパールミネッセント光を射出することができる。
【００７８】
また、ＳＬＤ10は、InGaAs多重量子井戸活性層105が形成された後は、６５０℃より高い温度環境下には曝されていないため、InGaAs多重量子井戸活性層105が劣化することがないので、高出力を長時間維持することができる。
【００７９】
なお、ＳＬＤ10の代わりに、p型In0.49Ga0.51Pを用いたウインドウ領域層111aを有するＳＬＤ10aを用いることもできる。p型In0.49Ga0.51P も、InGaAs多重量子井戸活性層105よりもエネルギーギャップが大きくかつ屈折率が小さく、格子定数がGaAsの格子定数と±0.1％範囲内で格子整合し、Alを含まない半導体材料であり、ＳＬＤ10ａも。波長1.1μｍ、半値幅９０nmで、高出力かつ歪みのないビーム断面形状を有するスーパールミネッセント光を射出することができる。また、素子寿命を評価するため室温で連続駆動したところ、出力が初期の90%になったのは約５０００時間経過後であった。
【００８０】
さらに、ＳＬＤ10の代わりに、図１１に示す内部ストライプ構造を有するＳＬＤ10ｂを用いることもできる。図１１に示すように、ＳＬＤ10ｂは、光導波路部15と、該光導波路部15の光出射端と反対側に設けられたウインドウ部16とから構成されている。光導波路部15は、p型 GaAsエッチングストップ層108上に形成された幅３ｍｍのストライプ構造により電流の流れが狭窄される内部ストライプ構造を有している。また、ｐ型GaAsウインドウ領域層（0.5μｍ）118の上部にウインドウ領域層用ｎ型（Al0.33Ga0.67）0.5As電流ブロック層（0.5μm厚、キャリア濃度7.0×1017cm-3）119が設けられている。その他の構成はほぼＳＬＤ10と同様である。またp型In0.49Ga0.51Pを用いたウインドウ領域層118aを有するＳＬＤ10ｃを用いることもできる。
【００８１】
このようなＳＬＤを有する光源ユニット210を用いることにより、光源ユニット210の信頼性が向上し、その結果、光断層画像化装置200の信頼性も向上する。
【００８２】
なお、ＳＬＤ10および10aは、ＳＢＲ構造を有するものであり、ＳＬＤ10ｂおよび10ｃは、内部ストライプ構造を有するものであるが、ＳＬＤの構造はこれらの構造に限定されるものではなく、他のインデックスガイド構造やゲインガイド構造を有するＳＬＤであってもよい。
【００８３】
なお、光源ユニット210の代わりに、図１２に示すようなモード同期固体レーザを用いたパルス光源部141 、パルス圧縮部142 およびスペクトル成形部140をから構成される光源ユニット410を用いたものも考えられる。パルス光源部141 は、モード同期固体レーザ143 および該モード同期固体レーザ143 から射出されたパルス光をパルス圧縮部142 へ導入する集光レンズ144 とから構成されている。またパルス圧縮部142 は、負分散特性を有するフォトニッククリスタルファイバ145 および光コネクタ146 から構成されている。フォトニッククリスタルファイバは、構造分散値を選択可能であるため所望の波長帯域において、負分散特性を実現することができる。スペクトル成形部140 は、光コネクタ147と、パルス圧縮部142から出力された広帯域光のスペクトル形状がガウス分布となるように信号光を成形するガウス分布成形フィルター148と、成形された低コヒーレンスをファイバＦＢ１へ導入する光コネクタ149とから構成されている。なお、ガウス分布成形フィルター148は、中心波長λｃとスペクトル半値全幅Δλとの関係が、
λｃ２／Δλ≦１５
λｃ+（Δλ／２）≦１．２μｍ
λｃ-（Δλ／２）≧０.９８μｍ
を満たすように、低コヒーレンス光のスペクトルを成形するものである。
【００８４】
さらに、光源ユニット210の代わりに、図１３に示すような、近赤外蛍光色素を含有する発光体を有する光源ユニット420を有するものも考えられる。
【００８５】
光源ユニット420は、近赤外蛍光色素を含有する発光体であるキャピラリー153と、該キャピラリー153の励起用のＹｂ：YAGレーザ151と、励起光カットフィルタ156と、レンズ152、155および157とから構成されている。キャピラリー153には、1.0〜1.2μmで励起可能な色素が溶媒とともに封入されている。例えば色素1,2,3の吸収スペクトルを図1５に示す。これをＹｂ:ＹＡＧレーザ151から射出された波長1.03μm光で励起する。蛍光強度は３種の色素でほぼ同等となるように、各色素濃度を調整すると、図１４に示すような蛍光が得られる。３種色素からの蛍光の加算は図1５の破線のような1000nm〜1200nm帯のスペクトルとなる。こうして発光した広帯域光はレンズ155、励起光カットフィルタ156およびレンズ157を透過して、低コヒーレンス光L1として、光ファイバＦＢ１に導光される。なお、励起光カットフィルタ156は、Ｙｂ：ＹＡＧレーザから射出された励起光が光ファイバＦＢ１へ入射することを防止するものである。
【００８６】
蛍光色素としては、図１６に示すようなピリリウム系色素を用いることができる。色素の組み合わせにより、励起用レーザとしては、発振波長が1.04μmのＮｄ：ＹＬＦレーザや発振波長が1.064μmのＮｄ：ＹＡＧレーザなど適宜最適波長のものを組み合わせればよい。
【００８７】
また、本実施の形態のさらに他の変型例として、光源ユニット210の代わりに、図１７に示すようなＹｂ系パルスレーザ、Ｎｄ系パルスレーザまたはＴｉ系パルスレーザを光源431として用いた光源ユニット430を用いてもよい。なお、Ｙｂ系パルスレーザとしては、Ｙｂ：ＹＡＧレーザ、Ｙｂ：ＧｌａｓｓレーザあるいはＹｂ系ファイバレーザ等を使用することができる。また、Ｎｄ系パルスレーザとしては、Ｎｄ：ＹＡＧレーザ、Ｎｄ：ＧｌａｓｓレーザあるいはＮｄ系ファイバレーザ等を使用することができる。
【００８８】
なお、上記各光源ユニット210、420、430においても、光源ユニット410と同様に、ガウス分布成形フィルター148を有するスペクトル成形部140を備えてもよい。また、ガウス分布成形フィルター148を有するスペクトル成形部140は、参照光Ｌ２と反射光Ｌ３が合波される前であれば、その光路のいかなる部位に配置してもよい。例えば図１８に示すように、参照光Ｌ２の光路中に、光コネクタ147ａ、ガウス分布成形フィルター148ａおよび光コネクタ149ａを有するスペクトル成形部140ａを配置し、測定光Ｌ２（反射光Ｌ３）の光路中に光コネクタ147ｂ、ガウス分布成形フィルター148ｂおよび光コネクタ149ｂを有するスペクトル成形部140ｂを配置してもよい。
【００８９】
このようなガウス分布成形フィルターを備える場合には、該ガウス分布成形フィルターを透過した後の光において、中心波長λｃとスペクトル半値全幅Δλとの関係が、
λｃ２／Δλ≦１５
λｃ+（Δλ／２）≦１．２μｍ
λｃ-（Δλ／２）≧０.９８μｍ
を満たすもものであればよい。すなわち、ガウス分布成形フィルターを備える場合には、該ガウス分布成形フィルターを透過した後の低コヒーレンス光が上記の条件を満たす範囲内であれば、例えばＳＬＤ、モード同期固体レーザ、近赤外蛍光色素を含有する発光体あるいはパルスレーザ等の光源の中心波長およびスペクトル半値全幅は、いかなるものであってもよい。なお、ガウス分布成形フィルター148ａおよびガウス分布成形フィルター148ｂの２つのガウス分布成形フィルターを備える場合には、そのフィルタ特性は略同一であることが好ましいが、干渉光Ｌ４の光強度の測定に支障がでない程度であれば異なっていてもよい。
【００９０】
さらに、図１９に示すように、参照光Ｌ２の光路中（光ファイバＦＢ３）に、参照光Ｌ２に対しわずかな周波数シフトを与える機能を有している位相変調器440を配置してもよい。この場合には、干渉光検出手段340において、合波手段４から光ファイバＦＢ２を伝搬して来た干渉光Ｌ４の光強度を、たとえばヘテロダイン検波により検出することができる。具体的には、測定光Ｌ１の全光路長と反射光Ｌ３の全光路長との合計が、参照光Ｌ２の全光路長と等しいときに、参照光Ｌ２と反射光Ｌ３との差周波数で強弱を繰り返すビート信号が発生する。このビート信号を検出することにより、高精度に干渉光Ｌ４の光強度を検出することができる。
【００９１】
次に、本発明の具体的な第２の実施形態である光断層画像化装置について図２０を参照して説明する。図２０は本発明の第２の実施の形態である光断層画像化装置の概略構成図である。なお、図２０においては、図９中の要素と同等の要素には同番号を付してあり、それらについての説明は特に必要のない限り省略する。
【００９２】
本光断層画像化装置500は、例えば体腔内の生体組織や細胞等の測定対象の断層画像を前述のＳＤ−ＯＣＴ計測により取得するものであって、低コヒーレンス光Ｌaを射出する光源ユニット210と、光源ユニット210から射出された光Ｌaを測定光Ｌ１と参照光Ｌ２とに分割する光分割手段53と、光分割手段53により分割された参照光Ｌ２の光路長を調整する光路長調整手段520と、光分割手段53により分割された測定光Ｌ１を測定対象Ｓｂに照射する光プローブ230と、こうして測定対象Ｓｂに測定光Ｌ１が照射されたとき該測定対象Ｓｂで反射した反射光Ｌ３と参照光Ｌ２とを合波する合波手段54と、合波された反射光Ｌ３と参照光Ｌ２との間の干渉光Ｌ４を検出する干渉光検出手段540とを有している。
【００９３】
光分割手段53は、例えば２×２の光ファイバカプラから構成されており、光源ユニット210から光ファイバＦＢ51を介して導波した光Ｌaを測定光Ｌ１と参照光Ｌ２とに分割する。この光分割手段53は、２本の光ファイバＦＢ52、ＦＢ53にそれぞれ光学的に接続されており、測定光Ｌ１は光ファイバＦＢ52を導波し、参照光Ｌ２は光ファイバＦＢ53を導波する。なお、本例におけるこの光分割手段53は、合波手段54としても機能するものである。
【００９４】
光ファイバＦＢ52には、光プローブ230が光学的に接続されており、測定光Ｌ１は光ファイバＦＢ52から光プローブ230へ導波する。
【００９５】
一方、光ファイバＦＢ53の参照光Ｌ２の射出側には光路長調整手段520が配置されている。光路長調整手段520は、断層画像の取得を開始する位置を調整するために、参照光Ｌ２の光路長を変更するものであって、光ファイバＦＢ53から射出された参照光Ｌ２を反射させる反射ミラー522と、反射ミラー522と光ファイバＦＢ53との間に配置された第１光学レンズ521ａと、第１光学レンズ521ａと反射ミラー522との間に配置された第２光学レンズ521ｂとを有している。
【００９６】
第１光学レンズ521ａは、光ファイバＦＢ53のコアから射出された参照光Ｌ２を平行光にするとともに、反射ミラー522により反射された参照光Ｌ２を光ファイバＦＢ53のコアに集光する機能を有している。また、第２光学レンズ521ｂは、第１光学レンズ521ａにより平行光にされた参照光Ｌ２を反射ミラー522上に集光するとともに、反射ミラー522により反射された参照光Ｌ２を平行光にする機能を有している。つまり、第１光学レンズ521ａと第２光学レンズ521ｂとにより共焦点光学系が形成されている。
【００９７】
したがって、光ファイバＦＢ53から射出した参照光Ｌ２は、第１光学レンズ521ａにより平行光になり、第２光学レンズ521ｂにより反射ミラー522上に集光される。その後、反射ミラー522により反射された参照光Ｌ２は、第２光学レンズ521ｂにより平行光になり、第１光学レンズ521ａにより光ファイバＦＢ53のコアに集光される。
【００９８】
さらに光路長調整手段520は、第２光学レンズ521ｂと反射ミラー522とを固定した基台23と、該基台23を第１光学レンズ521ａの光軸方向に移動させるミラー移動手段24とを有している。そして基台23が矢印Ａ方向に移動することにより、参照光Ｌ２の光路長が変えられるようになっている。
【００９９】
また合波手段54は、前述の通り２×２の光ファイバカプラからなり、光路長調整手段520により光路長が変更された参照光Ｌ２と、測定対象Ｓｂからの反射光Ｌ３とを合波し、光ファイバＦＢ４を介して干渉光検出手段540側に射出するように構成されている。
【０１００】
一方、干渉光検出手段540は、合波手段54により合波された反射光Ｌ３と参照光Ｌ２との干渉光Ｌ４を検出するものであって、光ファイバＦＢ４から出射した干渉光Ｌ４を平行光化するコリメータレンズ541と、複数の波長帯域を有する干渉光Ｌ４を各波長帯域毎に分光する分光手段542と、分光手段542により分光された各波長帯域の干渉光Ｌ４を検出する光検出手段544とを有している。
【０１０１】
分光手段542は例えば回折格子素子等から構成されており、そこに入射した干渉光Ｌ４を分光して、光検出手段544に向けて射出する。また光検出手段544は、例えば１次元もしくは２次元に光センサが配列されてなるＣＣＤアレイから構成され、各光センサが、上述のように分光された干渉光Ｌ４を波長帯域毎にそれぞれ検出するようになっている。
【０１０２】
上記光検出手段544は例えばパーソナルコンピュータ等のコンピュータシステムからなる画像取得手段550に接続され、この画像取得手段550はＣＲＴや液晶表示装置等からなる表示装置560に接続されている。
【０１０３】
以下、上記構成を有する光断層画像化装置500の作用について説明する。断層画像を取得する際には、まず基台23を矢印Ａ方向に移動させることにより、測定可能領域内に測定対象Ｓｂが位置するように光路長の調整が行われる。その後、光源ユニット210から光Ｌaが射出され、この光Ｌaは光分割手段53により測定光Ｌ１と参照光Ｌ２とに分割される。測定光Ｌ１は光プローブ230から体腔内に向けて射出され、測定対象Ｓｂに照射される。このとき、前述したように作動する該光プローブ230により、そこから出射した測定光Ｌ１が測定対象Ｓｂを１次元に走査する。そして、測定対象Ｓｂからの反射光Ｌ３が反射ミラー522において反射した参照光Ｌ２と合波され、反射光Ｌ３と参照光Ｌ２との干渉光Ｌ４が干渉光検出手段540によって検出される。この検出された干渉光Ｌ４が画像取得手段550において適当な波形補償、ノイズ除去を施した上でフーリエ変換されることにより、測定対象Ｓｂの深さ方向の反射光強度分布情報が得られる。
【０１０４】
そして、光プローブ230のモータ14により、プリズムミラー17を回転させることにより、測定光Ｌ１を測定対象Ｓｂ上で走査させれば、この走査方向に沿った各部分において測定対象Ｓの深さ方向の情報が得られるので、この走査方向を含む断層面についての断層画像を取得することができる。このようにして取得された断層画像は、表示装置560に表示される。なお、例えば光プローブ230を図20の左右方向に移動させて、測定対象Ｓｂに対して測定光Ｌ１を、上記走査方向に対して直交する第２の方向に走査させることにより、この第２の方向を含む断層面についての断層画像をさらに取得することも可能である。
【０１０５】
また、低コヒーレンス光Ｌａとして、例えば、中心波長（λｃ）1.1μｍ、スペクトル半値全幅（Δλ）９０ｎｍの光を用いれば、λｃ２／Δλは、１３．９となり、分散の影響を考慮すると、中心波長1.3μｍ帯よりも中心波長1.0μｍ帯が特に優位である。また、中心波長λｃとスペクトル半値全幅Δλとが、
λｃ+（Δλ／２）≦１．２μｍ
λｃ-（Δλ／２）≧０.９８μｍ
を満たすものであるため、測定光Ｌ１は、測定対象Ｓｂにおける透過率もよく、反射光Ｌ３においてはさらに0.98μｍおよび1.2μmに存在する水の光吸収のピークの影響も少なくなるので、高分解能かつ高画質の光断層画像を取得することができる。
【０１０６】
なお、本実施の形態においても、第１の実施の形態と同様に、光源ユニット210の代わりに、図１２に示す、パルス光源部141 と、モード同期固体レーザ143 と、パルス圧縮部142と、モード同期固体レーザ143 から射出されたパルス光をへ導入する集光レンズ144 とから構成されている光源ユニット410、あるいは図１３に示す、近赤外蛍光色素を含有する発光体を有する光源ユニット420を用いることもできる。また、図１７に示すＹｂ系パルスレーザ、Ｎｄ系パルスレーザまたはＴｉ系パルスレーザを光源431として用いた光源ユニット430を用いてもよい。なお、Ｙｂ系パルスレーザとしては、Ｙｂ：ＹＡＧレーザ、Ｙｂ：ＧｌａｓｓレーザあるいはＹｂ系ファイバレーザ等を使用することができる。また、Ｎｄ系パルスレーザとしては、Ｎｄ：ＹＡＧレーザ、Ｎｄ：ＧｌａｓｓレーザあるいはＮｄ系ファイバレーザ等を使用することができる。また、図１８に示すように、参照光Ｌ２の光路中に、光コネクタ147ａ、ガウス分布成形フィルター148ａおよび光コネクタ149ａを有するスペクトル成形部140ａを配置し、測定光Ｌ２（反射光Ｌ３）の光路中に光コネクタ147ｂ、ガウス分布成形フィルター148ｂおよび光コネクタ149ｂを有するスペクトル成形部140ｂを配置してもよい。
【０１０７】
以下、本発明の具体的な第３の実施形態である光断層画像化装置について図２１を参照して説明する。図２１は本発明の第３の実施の形態である光断層画像化装置の概略構成図である。なお、図２１においては、図２０中の要素と同等の要素には同番号を付してあり、それらについての説明は特に必要のない限り省略する。
【０１０８】
図２１に示す光断層画像化装置600は、測定対象の断層画像を前述のＳＳ−ＯＣＴ計測により取得するものであって、光Ｌｓを射出する光源ユニット610と、光源ユニット610から射出された光Ｌｓを測定光Ｌｓ１と参照光Ｌｓ２とに分割する光分割手段63と、光分割手段63により分割された参照光Ｌｓ２の光路長を調整する光路長調整手段520と、光分割手段63により分割された測定光Ｌｓ１を測定対象Ｓｂに照射する光プローブ630と、こうして測定対象Ｓｂに測定光Ｌｓ１が照射されたとき該測定対象Ｓｂで反射した反射光Ｌｓ３と参照光Ｌｓ２とを合波する合波手段64と、合波された反射光Ｌｓ３と参照光Ｌｓ２との間の干渉光Ｌｓ４を検出する干渉光検出手段640とを有している。
【０１０９】
光源ユニット610は、周波数を一定の周期で掃引させながらレーザ光Ｌｓを射出するものである。レーザ光Ｌｓの周波数ｆは、図２２に示すように、中心周波数ｆｃ であって所定の周波数掃引幅Δｆの範囲において周期的に掃引するようになっている。従って、周波数ｆは、周波数ｆ０（ｆｃ-Δｆ／２）〜周波数ｆｃ+Δｆ／２の間で鋸波状に掃引する。
【０１１０】
なお、説明の便宜上、レーザ光Ｌｓの周波数ｆの変化に着目して説明しているが、周波数ｆ=光速ｃ/波長λであるため、レーザ光Ｌｓの周波数ｆを一定の周期で掃引させることはレーザ光Ｌｓの波長λを一定の周期で掃引させることと同義であり、図２２におけるレーザ光Ｌｓの中心周波数ｆｃは、波長λを掃引させたさせたときの中心波長λｓｃであり、周波数掃引幅Δｆは波長掃引幅Δλｓである。また、図２２においては、周波数が鋸波状に掃引する場合について例示しているが、波状に掃引するものであってもよい。
【０１１１】
また、レーザ光Ｌｓの中心波長λｓｃおよび波長掃引幅Δλｓが、
λｓｃ２／Δλｓ≦１５
λｓｃ+（Δλｓ／２）≦１．２μｍ
λｓｃ-（Δλｓ／２）≧０.９８μｍ
を満たすように、レーザ光Ｌｓの中心周波数ｆｃ および周波数掃引幅Δｆは設定されている。
【０１１２】
光源ユニット610は、半導体光増幅器（半導体利得媒質）611と光ファイバＦＢ70とを有しており、光ファイバＦＢ70が半導体光増幅器611の両端に接続された構造を有している。半導体光増幅器611は駆動電流の注入により微弱な放出光を光ファイバＦＢ70の一端側に射出するとともに、光ファイバＦＢ70の他端側から入射された光を増幅する機能を有している。そして、半導体光増幅器611に駆動電流が供給されたとき、半導体光増幅器611および光ファイバＦＢ70により形成される光共振器により鋸波状のレーザ光Ｌｓが光ファイバＦＢ61へ射出されるようになっている。
【０１１３】
さらに、光ファイバＦＢ70には光分岐器612が結合されており、光ファイバＦＢ70内を導波する光の一部が光分岐器612から光ファイバＦＢ71側へ射出されるようになっている。光ファイバＦＢ71から射出した光はコリメータレンズ613、回折格子614、光学系615を介して回転多面鏡（ポリゴンミラー）616において反射される。そして反射された光は光学系615、回折格子614、コリメータレンズ613を介して再び光ファイバＦＢ71に入射される。
【０１１４】
ここで、この回転多面鏡616は矢印Ｒ１方向に回転するものであって、各反射面の角度が光学系615の光軸に対して変化するようになっている。これにより、回折格子614において分光された光のうち、特定の周波数域の光だけが再び光ファイバＦＢ71に戻るようになる。この光ファイバＦＢ71に戻る光の周波数は光学系615の光軸と反射面との角度によって決まる。そして光ファイバＦＢ71に入射した特定の周波数域の光が光分岐器612から光ファイバＦＢ70に入射され、結果として特定の周波数域のレーザ光Ｌｓが光ファイバＦＢ61側に射出されるようになっている。
【０１１５】
したがって、回転多面鏡616が矢印Ｒ１方向に等速で回転したとき、再び光ファイバＦＢ71に入射される光の波長λは、時間の経過に伴って一定の周期で変化することになる。こうして光源ユニット610からは、波長掃引されたレーザ光Ｌｓが光ファイバＦＢ61側に射出される。
【０１１６】
光分割手段63は、例えば２×２の光ファイバカプラから構成されており、光源ユニット610から光ファイバＦＢ61を介して導波した光Ｌｓを測定光Ｌｓ１と参照光Ｌｓ２とに分割する。この光分割手段63は、２本の光ファイバＦＢ62、ＦＢ63にそれぞれ光学的に接続されており、測定光Ｌｓ１は光ファイバＦＢ62を導波し、参照光Ｌｓ２は光ファイバＦＢ63を導波する。なお、本例におけるこの光分割手段63は、合波手段64としても機能するものである。
【０１１７】
光ファイバＦＢ62には、光プローブ630が光学的に接続されており、測定光Ｌｓ１は光ファイバＦＢ62から光プローブ630へ導波する。
【０１１８】
光プローブ630は、例えば鉗子口から鉗子チャンネルを介して体腔内に挿入されるものであって、光学コネクタ631により光ファイバＦＢ62に対して着脱可能に取り付けられている。光プローブ630は、先端が閉じられた円筒状のプローブ外筒635と、このプローブ外筒635の内部空間に、該外筒635の軸方向に延びる状態に配設された１本の光ファイバ633と、光ファイバ633の先端から出射した光Ｌｓをプローブ外筒635の周方向に偏向させるプリズムミラー637と、光ファイバ633の先端から出射した光Ｌｓを、プローブ外筒635の周外方に配された被走査体としての測定対象Ｓｂにおいて収束するように集光するロッドレンズ638と、光ファイバ633を光軸方向を軸として回転させるモータ634とを備えている。
【０１１９】
一方、光ファイバＦＢ63の参照光Ｌｓ２の射出側には光路長調整手段520が配置されている。光路長調整手段520は、断層画像の取得を開始する位置を調整するために、参照光Ｌｓ２の光路長を変更するものであって、光ファイバＦＢ63から射出された参照光Ｌｓ２を反射させる反射ミラー523と、反射ミラー523と光ファイバＦＢ63との間に配置された第１光学レンズ521ａと、第１光学レンズ521ａと反射ミラー523との間に配置された第２光学レンズ521ｂとを有している。
【０１２０】
第１光学レンズ521ａは、光ファイバＦＢ63のコアから射出された参照光Ｌｓ２を平行光にするとともに、反射ミラー523により反射された参照光Ｌｓ２を光ファイバＦＢ63のコアに集光する機能を有している。また、第２光学レンズ521ｂは、第１光学レンズ521ａにより平行光にされた参照光Ｌｓ２を反射ミラー523上に集光するとともに、反射ミラー523により反射された参照光Ｌｓ２を平行光にする機能を有している。つまり、第１光学レンズ521ａと第２光学レンズ521ｂとにより共焦点光学系が形成されている。
【０１２１】
したがって、光ファイバＦＢ63から射出した参照光Ｌｓ２は、第１光学レンズ521ａにより平行光になり、第２光学レンズ521ｂにより反射ミラー523上に集光される。その後、反射ミラー523により反射された参照光Ｌｓ２は、第２光学レンズ521ｂにより平行光になり、第１光学レンズ521ａにより光ファイバＦＢ63のコアに集光される。
【０１２２】
さらに光路長調整手段520は、第２光学レンズ521ｂと反射ミラー523とを固定した基台523と、該基台523を第１光学レンズ521ａの光軸方向に移動させるミラー移動手段24とを有している。そして基台523が矢印Ａ方向に移動することにより、参照光Ｌｓ２の光路長が変えられるようになっている。
【０１２３】
また合波手段64は、前述の通り２×２の光ファイバカプラからなり、光路長調整手段520により周波数シフトおよび光路長の変更が施された参照光Ｌｓ２と、測定対象Ｓｂからの反射光Ｌｓ３とを合波し、光ファイバＦＢ64を介して干渉光検出手段640側に射出するように構成されている。
【０１２４】
干渉光検出手段640は、合波手段64により合波された反射光Ｌｓ３と参照光Ｌｓ２との干渉光Ｌｓ４を検出するものであり、干渉光Ｌｓ４の光強度を測定するIｎGaAｓ系の光検出器642aおよび642bと、光検出器642aの検出値と光検出器642b の検出値の入力バランスを調整してバランス検波を行う演算部641とを備えている。なお、干渉光Ｌｓ4は光分割手段63において二分され光検出器642aと642bにおいて検出される。
【０１２５】
画像取得手段650は、干渉光検出手段640により検出された干渉光Ｌｓ４をフーリエ変換することにより、測定対象Ｓｂの各深さ位置における反射光Ｌｓ３の強度を検出し、測定対象Ｓｂの断層画像を取得する。そして、この取得された断層画像が表示装置660に表示される。
【０１２６】
ここで、干渉光検出手段640および画像取得手段650における干渉光Ｌｓ４の検出および画像の生成について簡単に説明する。なお、この点の詳細については「武田  光夫、「光周波数走査スペクトル干渉顕微鏡」、光技術コンタクト、２００３、Ｖｏｌ.４１、Ｎｏ.７、ｐ４２６−ｐ４３２」に詳しい記載がなされている。
【０１２７】
測定光Ｌｓ１が測定対象Ｓｂに照射されたとき、測定対象Ｓｂの各深さからの反射光Ｌｓ３と参照光Ｌｓ２とがいろいろな光路長差をもって干渉しあう際の各光路長差ｌに対する干渉縞の光強度をＳ（ｌ）とすると、干渉光検出手段640において検出される光強度Ｉ（ｋ）は、
Ｉ（ｋ）＝∫０∞Ｓ（ｌ）［１＋ｃｏｓ（ｋｌ）］ｄｌ  
で表される。ここで、ｋは波数、ｌは光路長差である。上式は波数ｋ＝ω／ｃを変数とする光周波数領域のインターフェログラムとして与えられていると考えることができる。このため、画像取得手段250において、干渉光検出手段640が検出したスペクトル干渉縞をフーリエ変換を行い、干渉光Ｌｓ４の光強度Ｓ（ｌ）を決定することにより、測定対象Ｓｂの測定開始位置からの距離情報と反射強度情報とを取得し、断層画像を生成することができる。
【０１２８】
以下、上記構成を有する光断層画像化装置600の作用について説明する。断層画像を取得する際には、まず基台523を矢印Ａ方向に移動させることにより、測定可能領域内に測定対象Ｓｂが位置するように光路長の調整が行われる。その後、光源ユニット610から光Ｌｓが射出され、この光Ｌｓは光分割手段63により測定光Ｌｓ１と参照光Ｌｓ２とに分割される。測定光Ｌｓ１は光プローブ630から体腔内に向けて射出され、測定対象Ｓｂに照射される。このとき、前述したように作動する該光プローブ630により、そこから出射した測定光Ｌｓ１が測定対象Ｓｂを１次元に走査する。そして、測定対象Ｓｂからの反射光Ｌｓ３が反射ミラー523において反射した参照光Ｌｓ２と合波され、反射光Ｌｓ３と参照光Ｌｓ２との干渉光Ｌｓ４が干渉光検出手段640によって検出される。この検出された干渉光Ｌｓ４が画像取得手段250において適当な波形補償、ノイズ除去を施した上でフーリエ変換されることにより、測定対象Ｓｂの深さ方向の反射光強度分布情報が得られる。
【０１２９】
そして、光プローブ630のモータ634により、光ファイバ633を回転させることにより、測定光Ｌｓ１を測定対象Ｓｂ上で走査させれば、この走査方向に沿った各部分において測定対象Ｓｂの深さ方向の情報が得られるので、この走査方向を含む断層面についての断層画像を取得することができる。このようにして取得された断層画像は、表示装置660に表示される。なお、例えば光プローブ630を図21の左右方向に移動させて、測定対象Ｓｂに対して測定光Ｌｓ１を、上記走査方向に対して直交する第２の方向に走査させることにより、この第２の方向を含む断層面についての断層画像をさらに取得することも可能である。
【０１３０】
このようにして取得された断層画像は、表示装置660に表示される。なお、例えば光プローブ630を図21の左右方向に移動させて、測定対象Ｓｂに対して測定光Ｌｓ１を、上記走査方向に対して直交する第２の方向に走査させることにより、この第２の方向を含む断層面についての断層画像をさらに取得することも可能である。
【０１３１】
また、レーザ光Ｌｓとして中心波長λｓｃおよび波長掃引幅Δλｓが、
λｓｃ２／Δλｓ≦１５
を満たすレーザ光が用いられているため、中心波長1.3μｍ帯よりも中心波長1.0μｍ帯が優位である。
【０１３２】
さらに、λｓｃ+（Δλｓ／２）≦１．２μｍ
λｓｃ-（Δλｓ／２）≧０.９８μｍ
を満たすものであるため、測定光Ｌｓ１は測定対象Ｓｂにおける透過率もよく、さらに反射光Ｌｓ３においては0.98μｍおよび1.2μmに存在する水の光吸収のピークの影響も少なくなるので、高分解能かつ高画質の光断層画像を取得することができる。
【０１３３】
なお、レーザ光Ｌｓの中心波長λｃが０．９８μｍ以上かつ１．２μｍ以下の場合、本実施形態のように、干渉光検出手段640の光検出器642aおよび642bとしては、IｎGaAｓ系の光検出器を用いることが好ましい。これにより、図２３のIｎGaAｓ系の光検出器の感度特性が示すように、レーザ光Ｌｓの干渉光を確実に検出することができる。
【０１３４】
なお、本発明の実施の形態は、上記実施の形態に限定されない。たとえば、図２１における光断層画像化装置600において、レーザ光Ｌｓ、測定光Ｌｓ１、参照光Ｌｓ２、反射光Ｌｓ３、干渉光Ｌｓ４はそれぞれ光ファイバ中を伝搬している場合について例示しているが、大気中もしくは真空中を伝搬させるようにしてもよい。
【図面の簡単な説明】
【０１３５】
【図１】吸収特性の説明図
【図２】生体組織における損失の説明図
【図３】胃壁における癌の進行状態の説明図
【図４】水の分散の説明図
【図５】水中伝播距離とブロード化比の関係の説明図
【図６】スペクトル波形およびフーリエ変換波形の説明図
【図７】中心周波数およびスペクトル半値全幅の関係の説明図
【図８】水中伝播距離と光軸方向分解能の関係の説明図
【図９】本発明の第１の実施形態における光断層画像化装置の概略構成図
【図１０】ＳＬＤの概略構成図
【図１１】他のＳＬＤの概略構成図
【図１２】光源ユニットの変型例の概略構成図
【図１３】光源ユニットの他の変型例の概略構成図
【図１４】色素の吸収スペクトルの説明図
【図１５】蛍光の説明図
【図１６】ピリリウム系色素の説明図
【図１７】光源ユニットのさらに他の変型例の概略構成図
【図１８】光断層画像化装置の変型例の概略構成図
【図１９】光断層画像化装置のさらに他の変型例の概略構成図
【図２０】本発明の第２の実施形態における光断層画像化装置の概略構成図
【図２１】本発明の第３の実施形態における光断層画像化装置の概略構成図
【図２２】レーザ光Ｌｓの説明図
【図２３】IｎGaAｓ系の光検出器の感度特性図
【符号の説明】
【０１３６】
３,53,63    光分割手段      
４,54,64    合波手段
10,10ａ,10ｂ,10ｃ    ＳＬＤ
140,140ａ,140ｂ    スペクトル成形部
148,148ａ,148ｂ    ガウス分布成形フィルター
210,410,420,430    光源ユニット  
230,530    光路長調整手段
230,630    光プローブ
240,540,640    干渉光検出手段  
250、550,650    画像取得手段
260,560,660    表示装置
【図１】
0004818823.tif 000003
【図２】
0004818823.tif 000004
【図３】
0004818823.tif 000005
【図４】
0004818823.tif 000006
【図５】
0004818823.tif 000007
【図６】
0004818823.tif 000008
【図７】
0004818823.tif 000009
【図８】
0004818823.tif 000010
【図９】
0004818823.tif 000011
【図１０】
0004818823.tif 000012
【図１１】
0004818823.tif 000013
【図１２】
0004818823.tif 000014
【図１３】
0004818823.tif 000015
【図１４】
0004818823.tif 000016
【図１５】
0004818823.tif 000017
【図１６】
0004818823.tif 000018
【図１７】
0004818823.tif 000019
【図１８】
0004818823.tif 000020
【図１９】
0004818823.tif 000021
【図２０】
0004818823.tif 000022
【図２１】
0004818823.tif 000023
【図２２】
0004818823.tif 000024
【図２３】
0004818823.tif 000025